(57)【要約】畑に植えられた茎／芯を有する農産物を収穫するための機械的収穫機が提供される。機械的収穫機はシャーシならびにシャーシに接続した切断装置および移送アセンブリを含む。切断装置は農産物の茎／芯を切るように構成される。移送アセンブリは切断装置により切られた農産物を移送するように構成される。移送アセンブリは可動第一ベルトおよび可動第二ベルトを含む。可動第一ベルトは農産物グリッパーの第一セットを含み、可動第二ベルトは農産物グリッパーの第二セットを含む。切断装置により切られた農産物が農産物グリッパーの第一セットと農産物グリッパーの第二セットとの間につかまれるとき、農産物グリッパーの第一セットの一部は農産物グリッパーの第二セットの一部に向かい合う。向かい合う農産物グリッパーは、農産物を可動第一ベルトと可動第二ベルトとの間につかむために、押しつけられ、かつ農産物上に力を働かせるように構成される。
2013541343.tif 000002
【特許請求の範囲】
【請求項１】
畑に植えられた農産物を収穫するための機械的収穫機であって、該農産物は茎／芯を有し、該機械的収穫機は、
シャーシ、
該シャーシに接続し、該農産物の該茎／芯を切るように構成された切断装置、および
該シャーシに接続し、該切断装置により切られた該農産物を移送するように構成された移送アセンブリを含み、
該移送アセンブリは、
可動第一ベルトであって、農産物グリッパーの第一セットを含む可動第一ベルト、および
可動第二ベルトであって、農産物グリッパーの第二セットを含む可動第二ベルトを含み、
該切断装置により切られた該農産物が該農産物グリッパーの第一セットと該農産物グリッパーの第二セットとの間につかまれるとき、該農産物グリッパーの第一セットの一部は該農産物グリッパーの第二セットの一部に向かい合い、
該農産物を該可動第一ベルトと該可動第二ベルトとの間につかむために、該向かい合う農産物グリッパーのそれぞれが、押しつけられ、かつ該農産物上に力を働かせるように構成される、
機械的収穫機。
【請求項２】
前記向かい合う農産物グリッパーのそれぞれが、前記農産物をつかむために、該農産物の重量のおよそ１００パーセントと２００パーセントとの間の力を働かせるように構成される、請求項１に記載の機械的収穫機。
【請求項３】
前記向かい合う農産物グリッパーのそれぞれが、前記農産物の重量とほぼ同じ力を働かせることにより該切られた農産物をつかむ、請求項１に記載の機械的収穫機。
【請求項４】
前記可動第一ベルトおよび前記可動第二ベルトが、前記移送アセンブリの前端から後端へ傾けて位置づけられ、該前端は前記切断装置に最も近い、請求項１に記載の機械的収穫機。
【請求項５】
前記農産物グリッパーの第一セットおよび前記農産物グリッパーの第二セットが、曲げやすい材料で形成される、請求項１に記載の機械的収穫機。
【請求項６】
前記第一セットの前記農産物グリッパーが、前記可動第一ベルトに連結した変形できる突起であり、前記第二セットの前記農産物グリッパーが、前記可動第二ベルトに連結した変形できる突起である、請求項１に記載の機械的収穫機。
【請求項７】
前記可動第一ベルトおよび前記可動第二ベルトがコンベヤーベルトである、請求項１に記載の機械的収穫機。
【請求項８】
前記農産物グリッパーの第一セットのそれぞれの農産物グリッパーが、少なくとも前記切られた農産物の高さのおよそ５０％の高さを有する、請求項１に記載の機械的収穫機。
【請求項９】
前記移送アセンブリが、
可動第三ベルトおよび可動第四ベルトをさらに含み、該可動第三ベルトおよび該可動第四ベルトが、前記シャーシに接続し、別の農産物を該第三可動ベルトと該第四可動ベルトとの間につかみ、かつ移送するように構成され、前記可動第一ベルトおよび前記可動第二ベルトに近接して配置される、請求項１に記載の機械的収穫機。
【請求項１０】
機械的収穫機を使用する、畑に植えられた農産物の収穫の機械的方法であって、該農産物は茎／芯を有し、該方法は、
該機械的収穫機のシャーシに接続した切断装置で該農産物の該茎／芯を切ること、
該シャーシに接続した移送アセンブリを該切られた農産物へ移動させることであって、該移送アセンブリは、
可動第一ベルト、および
可動第二ベルトを含み、
該可動第一ベルトは農産物グリッパーの第一セットを含み、
該可動第二ベルトは農産物グリッパーの第二セットを含む、こと、ならびに、
該切られた農産物を該農産物グリッパーの第一セットと該農産物グリッパーの第二セットとの間につかむことであって、該切られた農産物が該農産物グリッパーの第一セットと該農産物グリッパーの第二セットとの間につかまれるとき該農産物グリッパーの第一セットの一部は該農産物グリッパーの第二セットの一部に向かい合い、該農産物を該可動第一ベルトと該可動第二ベルトとの間につかむために、該向かい合う農産物グリッパーのそれぞれが、押しつけられ、かつ該農産物上に力を働かせるように構成される、こと
を含む方法。
【請求項１１】
前記農産物グリッパーの第一セットと前記農産物グリッパーの第二セットとの間につかまれた切られた農産物を、前記機械的収穫機の後部に接続された処理プラットフォームへ前記移送アセンブリによって移送することをさらに含む、請求項１０に記載の機械的方法。
【請求項１２】
前記農産物グリッパーの第一セットおよび前記農産物グリッパーの第二セットの前記向かい合う農産物グリッパーを使用して、地面から前記切られた農産物を持ち上げることをさらに含む、請求項１０に記載の機械的方法。
【発明の詳細な説明】
【技術分野】
【０００１】
（背景）
（１．分野）
本発明は、農産物を機械的に収穫するための装置および方法に関し、より詳しくは、アイスバーグレタス、ロメインレタス、セロリおよびキャベツのような畑に植えられた茎／芯を有する農産物を収穫するための機械的収穫機に関連する。
【背景技術】
【０００２】
（２．関連技術の説明）
典型的に、ロメインレタス、アイスバーグレタス、セロリおよびキャベツのような畑にある茎または芯を有する農産物の収穫は、主に人手によってされる。収穫の手順はいくつかの工程を含む。これらの工程は、農産物が地面に植えられている間に人が農産物の茎／芯を切り、後の処理および包装のために移動プラットフォームの上に切られた農産物を人が置くことを含む。さらに、いくつかの例において、農産物の芯は葉から人手により除去され、または引き抜かれる。この工程は、しばしば、調理済みのレタスまたは販売前に包装されたサラダミックスを売る食料品包装出荷業者により行われる。
【０００３】
以前では、収穫システムは、畑から農産物を移動させるためにコンベヤーベルトを利用してきた。しかし、これらのコンベヤーベルトは、歯またはピンのようなコンベヤーベルトに取り付けられたグリップ機構を利用する。これらのグリップ機構は、農産物がコンベヤーベルトにより移送されるとき、農産物を刺しえ、かつ損傷しうる。農産物、特に頭のあるレタス（たとえばアイスバーグレタスおよびロメインレタス）は移送のためのグリップ機構のような歯またはピンによる損傷の影響を受けやすい。
【発明の概要】
【課題を解決するための手段】
【０００４】
（概要）
一つの例示的な実施形態において、畑に植えられた茎または芯を有する農産物を収穫するための機械的収穫機が提供される。機械的収穫機はシャーシならびにシャーシに接続した切断装置および移送アセンブリを含む。切断装置は農産物の茎または芯を切るように構成される。移送アセンブリは切断装置により切られた農産物を移送するように構成される。移送アセンブリは、可動第一ベルトおよび可動第二ベルトを含む。可動第一ベルトは農産物グリッパーの第一セットを含み、可動第二ベルトは農産物グリッパーの第二セットを含む。切断装置により切られた農産物が農産物グリッパーの第一セットと農産物グリッパーの第二セットとの間につかまれるとき、農産物グリッパーの第一セットの一部は農産物グリッパーの第二セットの一部に向かい合う。向かい合う農産物グリッパーは、農産物を可動第一ベルトと可動第二ベルトとの間につかむために、押しつけられ、かつ農産物上に力を働かせるように構成される。
【図面の簡単な説明】
【０００５】
【図１】図１は、機械的収穫機の例示的な実施形態を図示する。
【図２】図２は、機械的収穫機の例示的な切断装置を図示する。
【図３】図３は、機械的収穫機の別の例示的な切断装置を図示する。
【図４】図４は、機械的収穫機の例示的な切断装置に加えて例示的なすきを図示する。
【図５】図５は、機械的収穫機の可動ベルトの透視図を図示する。
【図６Ａ】図６Ａは、機械的収穫機の可動ベルトの例示的な概略図を図示する。
【図６Ｂ】図６Ｂは、機械的収穫機の可動ベルトの別の例示的な概略図を図示する。
【図６Ｃ】図６Ｃは、機械的収穫機の可動ベルトの別の例示的な概略図を図示する。
【図７】図７は、機械的収穫機の切断装置により切られる前の農産物の例示的な図を図示する。
【図８】図８は、機械的収穫機の可動ベルトによりつかまれた農産物の例示的な図を図示する。
【図９Ａ】図９Ａは、機械的収穫機の農産物グリッパーの間に農産物をつかむことの例を図示する。
【図９Ｂ】図９Ｂは、機械的収穫機の農産物グリッパーの間に農産物をつかむことの別の例を図示する。
【図１０Ａ】図１０Ａ、１０Ｂ、１０Ｃおよび１０Ｄは、機械的収穫機を用いた農産物の移送の例示的な方法を図示する。
【図１０Ｂ】図１０Ａ、１０Ｂ、１０Ｃおよび１０Ｄは、機械的収穫機を用いた農産物の移送の例示的な方法を図示する。
【図１０Ｃ】図１０Ａ、１０Ｂ、１０Ｃおよび１０Ｄは、機械的収穫機を用いた農産物の移送の例示的な方法を図示する。
【図１０Ｄ】図１０Ａ、１０Ｂ、１０Ｃおよび１０Ｄは、機械的収穫機を用いた農産物の移送の例示的な方法を図示する。
【図１１】図１１は、エレベーターベルトに連結した機械的収穫機の後部の例示的な図を図示する。
【発明を実施するための形態】
【０００６】
（詳細な説明）
本発明のより完全な理解を提供するために、以下の説明は特定の構成、パラメーター、例、および同様のもののような複数の特定の詳細を明記する。しかし、そのような説明は、本発明の範囲を制限する意図はないが、例示的な実施形態のよりよい説明を提供する意図があることが認識されるべきである。
【０００７】
図１を参照すると、例示的な機械的収穫機１００が描写される。以下に説明されるように、機械的収穫機１００は、ロメインレタス、アイスバーグレタス、セロリ、キャベツ、または同様のもののような茎、芯または根を有する農産物を収穫するように構成される。畑にある農産物を収穫するために、農産物の茎／芯を切るかまたは農産物の茎／芯から農産物を切り取ることで農産物を離し、離された農産物を地面から持ち上げ、かつ離された農産物を移送しながら、機械的収穫機１００は農産物の畑の中を移動する。農産物は、今後の処理のために貯蔵ビンもしくはコンテナへ、またはより直近の処理のために、機械的収穫機１００に接続した処理プラットフォームへ移送されうる。たとえば、処理は、検査、分類、切り取り、芯の除去、洗浄および包装を含みうる。
【０００８】
図１に描写されるように、機械的収穫機１００はシャーシ１０２を含む。切断装置はシャーシ１０２と連結され、農産物の茎／芯を切る。
【０００９】
図２は平らな刃２０４のような切断装置を描写する。図２に示される実施形態において、平らな刃２０４は機械的収穫機１００（図１）に固定されるように構成される。機械的収穫機１００（図１）が畑の中を移動するとき、平らな刃２０４は畑にある農産物を切りながら機械的収穫機１００（図１）と共に移動する。平らな刃２０４の位置は、特定のタイプの農産物を切るために平らな刃２０４の角度および高さを最適化するように収穫の間に調節されうる。平らな刃２０４は、地面に対する平らな刃２０４の角度を、および収穫機１００（図１）の運動の方向に対する平らな刃２０４の角度を変えるように調節されうる。
【００１０】
平らな刃２０４に加えて、切断装置は、芯除去刃、ナイフ、帯鋸、超音波ナイフ、振動ナイフ、または水ジェット切断装置でありうるが、これらに制限されない。たとえば、図３は芯除去刃３０２のような切断装置を描写する。芯除去刃３０２は、農産物の茎／芯から農産物を切り取ること、および、切られた農産物の芯の除去をすることの両方をするように構成される。畑で収穫をする間に芯の除去をすることは、農産物の処理を減らしうる。処理の減少は、効率を増加させ、農産物への損傷のリスクを減らす。
【００１１】
単一の切断装置が描かれたが、複数の切断装置が、農産物の複数の列から一度に農産物を収穫するために使用されうるということが認識されるべきである。たとえば、図２に示される実施形態において、平らな刃２０４は農産物の単一の列から一度に農産物を切る。そのようなとき、農産物の複数の列から同時に農産物を切るために複数の平らな刃２０４が機械的収穫機１００（図１）に含まれうる。言い換えれば、機械的収穫機１００（図１）は、機械的収穫機１００に含まれる平らな刃２０４の数と少なくとも等しい数の農産物の列から収穫しうる。
【００１２】
図４に描写されるように、機械的収穫機１００（図１）はまた、切断装置の前に位置づけられたすき４０２を含む。切断装置の前方位置において、すき４０２は、機械的収穫機１００（図１）が移動しているとき切断装置より先に農産物に達する。すき４０２は、草木および他のごみが切断装置に集まらないようにする。そのうえ、機械的収穫機１００（図１）は、機械的収穫機１００（図１）の車輪の前方位置に一つより多いすき（たとえばすき４０４）を含みうる。すき４０４は草木および他のごみが機械的収穫機１００（図１）の車輪に集まらないようにする。
【００１３】
図１に描写されるように、移送アセンブリ１０４はシャーシ１０２に連結される。図２に描写されるように、移送アセンブリ１０４は、農産物がその茎／芯から切り取られた後農産物をつかみ、持ち上げ、かつ移送するように構成された可動ベルト２０６および２０８を含む。以下に詳細に説明されるように、農産物グリッパー２１０および向かい合う農産物グリッパー２１２が、それぞれ可動ベルト２０６および２０８に連結される。農産物グリッパー２１０および向かい合う農産物グリッパー２１２は農産物をつかみ、地面から持ち上げ、かつ移送するために使用される。たとえば、図７を参照すると、アイスバーグレタスの頭７０２は、その茎／芯から切られたように描写される。図８に描写されるように、農産物グリッパー２１０および向かい合う農産物グリッパー２１２は、アイスバーグレタスの頭７０２をつかみ、地面から持ち上げ、かつ移送する。
【００１４】
図２を再び参照すると、可動ベルト２０６および２０８はホイール２１４に取り付けられ、ホイール２１４が回転するとき、可動ベルト２０６および２０８を移動させる。可動ベルト２０６および２０８はコンベヤーベルトでありうる。
【００１５】
図６Ａおよび図６Ｂに描写されるように、可動ベルト２０６および２０８は実質的に平行な構成にある。図５に描写されるように、可動ベルト２０６および２０８はまた、移送アセンブリ１０４の前端から後端へ地面に対して傾けられうる。このように、可動ベルト２０６および２０８は切られた農産物を持ち上げ、かつ切られた農産物をさらなる処理のためのプラットフォームまたは貯蔵ビンへ移送するように構成される。図５にまた描写されるように、移送アセンブリ１０４は、農産物の複数の列から収穫するために複数セットの可動ベルトを含みうる。
【００１６】
図６Ｃに描写されるように、間隔６１２が可動ベルト２０６および２０８の間に画定される。間隔６１２は機械的収穫機１００（図１）で収穫される農産物に対して調節される。実質的に平行な構成において、図６Ｃに描写される上面図に見られるように、間隔６１２は、可動ベルト２０６および２０８の長さに沿って実質的に一定であり、その結果農産物は、農産物グリッパー２１０および向かい合う農産物グリッパー２１２を利用して可動ベルト２０６および２０８の間を運ばれうる。
【００１７】
農産物グリッパー２１０および２１２のセットは、曲げやすいプラスチックのような曲げやすい材料で形成される。農産物が可動ベルト２０６と可動ベルト２０８との間にあるとき、農産物が農産物グリッパー２１０および向かい合う農産物グリッパー２１２を押しつけるように、曲げやすい材料は変形しうる。
【００１８】
また、図６Ｃおよび図１０Ｃに描写されるように、農産物グリッパー２１０および２１２は、特に、切られた農産物が農産物グリッパー２１０および２１２の間に配置されたとき、農産物グリッパー２１０および２１２が相互にちょうど向かい合うように並べられる。図２に見られる、農産物グリッパー２１０および２１２の組み合いは、曲げやすい農産物グリッパー２１０および２１２ならびに図２における可動ベルト２０６および２０８の短い間隔の結果であることに留意されたい。しかし、可動ベルト２０６および２０８の間隔が、農産物グリッパー２１０および２１２が相互に接触しないくらいに十分であるとき、グリッパー２１０および２１２は、図６Ｃに描写されるように、相互にちょうど向かい合う。
【００１９】
図８に描写されかつ上記に言及されるように、農産物グリッパー２１０および向かい合う農産物グリッパー２１２は曲げやすい材料で形成されるため、農産物グリッパー２１０および向かい合う農産物グリッパー２１２はレタスの頭７０２によって押しつけられる。農産物グリッパーの材料の剛性は、農産物上に働く力を定める。農産物グリッパーのそれぞれにより農産物上に働く力は、好ましくは、少なくとも農産物の重量とほぼ同じである。農産物グリッパーのそれぞれにより農産物上に働く力は、農産物が損傷されないために、好ましくは、多くて農産物の重量のおよそ２００％である。
【００２０】
一つの例において、図９Ａに描写されるように、農産物グリッパー２１０および向かい合う農産物グリッパー２１２は、レタスの頭７０２の正中線９１０より下でレタスの頭７０２に接触しえ、レタスの頭７０２を持ち上げ、かつつかむ。農産物グリッパー２１０により働く力は、ほぼ農産物の重量でありうる。同様に、向かい合う農産物グリッパー２１２により働く力は、ほぼ農産物の重量でありうる。本例の目的のために、レタスの頭７０２が１ポンドの重量があると想定する。そのようなとき、農産物グリッパー２１０および向かい合う農産物グリッパー２１２それぞれは、レタスの頭７０２上におよそ１ポンドの力を働かせ、農産物グリッパー２１０と向かい合う農産物グリッパー２１２との間にレタスの頭７０２をつかむ。
【００２１】
別の例において、図９Ｂに描写されるように、農産物グリッパー９０４および向かい合う農産物グリッパー９０６は、レタスの頭９０２の正中線９１２の近くでレタスの頭９０２に接触しえ、レタスの頭９０２を持ち上げ、かつつかむ。本例において、農産物グリッパー９０４および向かい合う農産物グリッパー９０６の両方により働く力は、農産物の重量の２００％でありえ、その結果レタスの頭９０２は農産物グリッパー９０４と向かい合う農産物グリッパー９０６との間につかまれる。レタスの頭９０２上に働く力の方向は、主として横方向であり、図９Ａに描写されるように農産物グリッパーにより働く力がより大きな垂直成分を有するときよりも、レタスの頭９０２を地面からつかむために農産物グリッパー９０４および向かい合う農産物グリッパー９０６により働く、より大きな力を必要とする。
【００２２】
図７に描写されるように、農産物グリッパー２１０および向かい合う農産物グリッパー２１２は歯車の歯のような突起である。歯車の歯のような突起の輪郭は、機械的収穫機１００（図１）が自給式であることを可能にする。また、上記に言及されるように、可動ベルト２０６および２０８は、傾くように構成されえ、地面から切られた農産物を持ち上げることを容易にする。言い換えれば、農産物は、コンベヤータイプの可動ベルト内へと押され、または置かれる必要がない。農産物グリッパー２１０および向かい合う農産物グリッパー２１２の歯車の歯のような輪郭は、地面上の切られた農産物に接触し、可動ベルト２０６および２０８が移動するとき、切られた農産物は農産物グリッパー２１０と向かい合う農産物グリッパー２１２との間に引かれる。切られた農産物は農産物グリッパー２１０および向かい合う農産物グリッパー２１２を変形させる。ひとたび変形すると、農産物グリッパー２１０および向かい合う農産物グリッパー２１２は、上記で説明されるように、農産物グリッパー２１０と向かい合う農産物グリッパー２１２との間に農産物をつかむのに十分な力を働かせる。自給式のプロセスは収穫のスピードを増加させ、機械的収穫機を操作するために必要とされる職員の数を最小化する。そのうえ、農産物グリッパー２１０および向かい合う農産物グリッパー２１２の形態は、農産物への損傷を減らす。
【００２３】
農産物グリッパー２１０および向かい合う農産物グリッパー２１２は農産物に穴をあけないように構成される。図７に示される実施形態において、農産物グリッパー２１０および向かい合う農産物グリッパー２１２の寸法は、収穫される農産物と比較して、穴をあけることまたは刺すことにより農産物を損傷しないくらいに十分に大きい。一つの例において、農産物グリッパー２１０および向かい合う農産物グリッパー２１２の高さは、少なくとも切られた農産物の高さのおよそ５０％である。たとえば、平均のアイスバーグレタスの頭は、高さ６インチである。アイスバーグレタスをグリップするための農産物グリッパー２１０および向かい合う農産物グリッパー２１２は、高さ３インチでありうる。しかし、他の例においては、農産物グリッパー２１０および向かい合う農産物グリッパー２１２の高さは切られた農産物の高さの５０％よりも小さくありうるということが理解されるべきである。
【００２４】
切られた農産物が可動ベルト２０６および２０８上へ持ち上げられ、かつ農産物グリッパー２１０および向かい合う農産物グリッパー２１２によりつかまれた後、可動ベルト２０６および２０８は移動させられ、農産物を可動ベルトの長さ分移送する。言い換えれば、農産物は農産物グリッパー２１０と向かい合う農産物グリッパー２１２との間につかまれ、農産物を可動ベルト２０６および２０８の一端から農産物が置かれるもう一端へ移送する。
【００２５】
移送プロセスは図１０Ａ、１０Ｂ、１０Ｃおよび１０Ｄに図示される。図１０Ａおよび１０Ｂに描写されるように、機械的収穫機１００（図１）の進行方向は、農産物グリッパー２１０および２１２をレタスの頭７０２に導く。図１０Ｂおよび１０Ｃに描写されるように、農産物グリッパー２１０および向かい合う農産物グリッパー２１２はレタスの頭７０２に接触し、レタスの頭７０２を農産物グリッパー２１０と向かい合う農産物グリッパーとの間に持ち上げる。図１０Ｃに描写されるように、農産物グリッパー２１０および向かい合う農産物グリッパー２１２は、農産物グリッパー２１０と向かい合う農産物グリッパー２１２との間にレタスの頭７０２をつかむために、十分な力がレタスの頭７０２上に働くように、レタスの頭７０２によって押しつけられるように構成される。図１０Ｄに描写されるように、機械的収穫機１００（図１）が畑の中を進行し続ける間、可動ベルト２０６および２０８は移動し、その結果、農産物グリッパー２１０と向かい合う農産物グリッパー２１２との間のレタスの頭７０２が、機械的収穫機１００（図１）の後部の方へ移送される。
【００２６】
図１１に描写されるように、機械的収穫機１００（図１）の後部で、可動ベルト２０６および２０８は、農産物を移動プラットフォームまたはエレベーターベルト１１０２の上へ置きえ、さらなる処理のために処理プラットフォームへ移送される。処理工程は、芯の除去、分類、切り取り、洗浄および包装を含みうるが、これらに制限されない。可動ベルト２０６および２０８はまた、農産物を貯蔵ビン（示されない）内へと置きうる。
【００２７】
本発明は、特定の例示的な実施形態、例および応用について説明されてきたが、いくつかの改変および変更が、本発明からはずれることなくなされうるということが、当業者には明白である。
【図１】
2013541343.tif 000003
【図２】
2013541343.tif 000004
【図３】
2013541343.tif 000005
【図４】
2013541343.tif 000006
【図５】
2013541343.tif 000007
【図６Ａ】
2013541343.tif 000008
【図６Ｂ】
2013541343.tif 000009
【図６Ｃ】
2013541343.tif 000010
【図７】
2013541343.tif 000011
【図８】
2013541343.tif 000012
【図９Ａ】
2013541343.tif 000013
【図９Ｂ】
2013541343.tif 000014
【図１０Ａ】
2013541343.tif 000015
【図１０Ｂ】
2013541343.tif 000016
【図１０Ｃ】
2013541343.tif 000017
【図１０Ｄ】
2013541343.tif 000018
【図１１】
2013541343.tif 000019
【国際調査報告】
2013541343.tif 000020
2013541343.tif 000021
2013541343.tif 000022